(57)【要約】本発明は、ベルト駆動装置用機器に関し、ベルト駆動装置は、２つの連続した駆動ベルトを含み、ベルトは、駆動ローラ(2)によって運転され、離して配置した連続ループのように引張ローラの周りを走行し、引き抜き加工するケーブルもしくは同様のもの(3)の対向する表面に、プレスロールによって押し付けられる。単純な構造を与えるために、駆動ローラ(2)は、平行に連結されアンギュラ前部伝達を有する２つの遊星ギヤ(8)を駆動することにより、単一の動力源によって回転させられる。動力源により生成された回転運動は、二次軸(10)と、二次軸に連結した駆動ローラ(2)とを反対向きに回すために、アンギュラ前部伝達を設けた両方の遊星ギヤ(8)の主軸(9)に同一方向で伝達される。
2004520246.tif 000002
【特許請求の範囲】
【請求項１】
ベルト駆動装置が２つの連続した駆動ベルト(1)を含み、該ベルトは、駆動ローラ(2)によって運転され、離して配置した連続ループのように引張ローラ(6)の周りを走行し、引き抜き加工するケーブルもしくは同様のもの(3)の対向する表面に、プレスロール(4)によって押し付けられるベルト駆動装置用機器において、前記駆動ローラ(2)は、平行に連結されアンギュラ前部伝達を有する２つの遊星ギヤ(8)を駆動することにより、単一の動力源(7)によって回転させられ、該動力源(7)により生成された回転運動は、二次軸(10)と、該二次軸に連結した前記駆動ローラ(2)とを反対向きに回すために、前記アンギュラ前部伝達を有する両方の遊星ギヤ(8)の主軸(9)に同一方向で伝達されることを特徴とするベルト駆動装置用機器。
【請求項２】
請求項１に記載のベルト駆動装置用機器において、前記アンギュラ前部伝達を有する遊星ギヤ(8)の主軸(9)は平行に配置されることを特徴とするベルト駆動装置用機器。
【請求項３】
請求項１または２に記載のベルト駆動装置用機器において、前記動力源(7)により生成された回転運動は、前記アンギュラ前部伝達を有する遊星ギヤ(8)の主軸(9)に、ベルト伝動(11)により伝達されることを特徴とするベルト駆動装置用機器。
【請求項４】
請求項２または３に記載のベルト駆動装置用機器において、前記ベルト伝動(11)は２つのベルトからなり、該ベルト伝動(11)により生成される半径方向力は、前記アンギュラ前部伝達を有する両方の遊星ギヤ(8)の主軸(9)へ同時に分担されることを特徴とするベルト駆動装置用機器。
【請求項５】
請求項１から４までのいずれかに記載のベルト駆動装置用機器において、前記アンギュラ前部伝達を有する遊星ギヤ(8)の二次軸(10)の半径方向負荷は、該二次軸に設けた前記駆動ローラ(2)の近くにある別個の支持軸受(12)によって補償されることを特徴とするベルト駆動装置用機器。
【発明の詳細な説明】
【詳細な説明】
【０００１】
本発明は、ベルト駆動装置用機器に関するものであり、ベルト駆動装置は、２つの連続した駆動ベルトを含み、このベルトは、駆動ローラによって運転され、離して配置した連続ループのように引張ローラの周りを走行し、引き抜き加工するケーブルなどの対向する表面に、プレスロールによって押し付けられる。
【０００２】
現在、上記のベルト駆動装置は一般に、たとえばケーブル製造ラインで使用されている。平伝動ベルト、すなわちベルトの両面が平らであるベルトが、たとえばケーブル駆動ベルトとして一般に使用されている。ケーブルに押し付けられる面が適切に形作られている駆動ベルトも、この分野で使用されている。
【０００３】
適切な動力源を用いて駆動装置のベルトホイールを回転させることにより、駆動ベルトを動かす。いくつかの機器では回転力は動力源から，たとえば直列に接続されたいくつかの別個の伝動装置システムによって伝動される。従来技術はまた、動力源が２つの別個の電動機といくつかのベルト駆動装置からなる機器を教示する。従来技術に係わる機器の例は、フィンランド特許第103,613号に開示されている。
【０００４】
この従来技術に係わる機器の欠点は、駆動ベルトを動かす力を動力源からベルトに伝達する機構の構造が複雑であるということである。このため、しばしば伝動機構が大きくかつ高価になる。伝動機構のサイズが大きいということは、明らかに不利であり、それが高価であるということは、その費用対効果を低下させる。
【０００５】
本発明の目的は、上述の欠点を解消する機器を提供することである。これは、本発明による機器によって達成され、本発明は、駆動ローラが、平行に連結されアンギュラ前部伝達を有する２つの遊星ギヤを駆動することにより、単一の動力源によって回転させられ、動力源により生成された回転運動は、二次軸と、二次軸に連結した駆動ローラとを反対向きに回すために、アンギュラ前部伝達を有する両方の遊星ギヤの主軸に同一方向で伝達されることを特徴とする。
【０００６】
従来技術より優れた本発明の利点は、動力源から駆動ホイールへの伝達が、費用効果の高いかつ単純な方法で行われるということである。このような単純な構造は、保守および修理の点でも有用である。なぜならば、たとえば異なる部品に置き換えることが大変容易であるからである。
【０００７】
添付の図面に示す本発明の好ましい実施例を用いて、本発明を以下に、さらに詳細に説明する。
【０００８】
図１はベルト駆動装置を概略的に示す。ベルト駆動装置は、２つの連続した駆動ベルト１を含み、駆動ベルトは、駆動ローラ２によって運転される。駆動ローラは、適切な動力源、たとえば電動機によって運転される。駆動ベルト１は、引張ローラ６を回る連続したループとして、互いに離れて走行する。引張ローラ６によって、ケーブルまたは同様なもの３が駆動ベルトの間を、駆動ベルトがケーブルまたは同様なものに押し付けられるように走行し、駆動ベルトの走行に伴って並んで、ケーブルまたは同様なものを引き抜く。「ケーブルまたは同様なもの」という表現は、ここでは駆動装置の運転中にケーブルと同様にふるまういかなる製品をもさす。例としては、ケーブルに加えてロープ、ワイヤ等がある。駆動ベルト１は、プレスロール４によってケーブルまたは同様なもの３に押し付けられ、プレスロール４は、ケーブルまたは同様なもの３の位置で、駆動ベルト１の内面に押し付けられる。図１の状態では、ケーブルまたは同様なものの走行方向は、右から左である。走行方向は、図１に矢印により示す。
【０００９】
上記の事項それ自体は、当業者には公知である。したがってそれらについて、ここではさらに詳しい議論はしない。これに関しては、たとえば、背景技術を示すものとして上記で引用したフィンランド特許第103,613号が参照できる。
【００１０】
図２〜図６は、本発明による機器を概略的に示す。図２〜図６において、図１と同じ部品には同じ参照数字を適用する。明確化のために、図２〜図６には、駆動ベルトは示さない。
【００１１】
本発明の基本的な考えによると、駆動ローラ２を単一の動力源７によって回転させる。単一の動力源７は、たとえば上述のように電動機とすることができる。本機器は２つの遊星ギヤ８を利用している。遊星ギヤ８は、平行に連結され、アンギュラ前部伝達を有する。アンギュラ前部伝達を有する遊星ギヤ８の主軸９は平行である。これは、たとえば図２および図５に明確に見える。動力源７により生成された回転運動は、アンギュラ前部伝達を有する両方の遊星ギヤ８の主軸９に同一方向で伝達され、二次軸10と、二次軸10に連結した駆動ローラ２を反対向きに回す。
【００１２】
適切な装置であればどのようなものでも、アンギュラ前部伝達を有する遊星ギヤ８として使用できる。適用可能なアンギュラ前部伝達を有する遊星ギヤの一例は、トランスミタル・ボンフィグリオリ(Transmital Bonfiglioli)により製造された装置303Rである。
【００１３】
アンギュラ前部伝達を有し、互いに対向する遊星ギヤ８の使用により、駆動ローラ２を反対方向に、有利な方法で回転させることができる。なぜならば、構造が、従来技術に係わる機器と比べて大変単純だからである。２つの動力源もしくは同様なものを使用するなどの、従来使われていた複雑な別個のギヤ機構もしくはその他の複雑な構造を必要とすることなく、本発明では単一の動力源７により、駆動ローラを反対方向に回転させるということに注意すべきである。たとえば負荷が大きい駆動では、本発明による機器のコストは、従来の機器のコストより約60%少ない。
【００１４】
アンギュラ前部伝達を有する遊星ギヤ８の主軸は平行であるため、動力源７により生成される回転運動は、アンギュラ前部伝達を有する遊星ギヤ８の主軸へ、ベルト伝動11などの適切な伝動により伝達される。ベルト伝動11は、有利に二次軸を反対方向に回転させる。図に示す例では、主軸９の対称軸が同一線上にあるように、主軸が平行である。しかしながら、たとえば主軸の対称軸が離れているような配置が必要と考えられるならば、そのように主軸を平行にすることもできる。ベルト伝動11は、たとえば歯付きベルトに基づいた伝動とすることができる。図に示す例では、ベルト伝動は、２つの平行なベルトからなる。ベルト伝動11によってかなり大きな半径方向力が生成されることがあるとき、その力は同時に、アンギュラ前部伝達を有する遊星ギヤ８の主軸９に伝達される。ベルトは当然、それぞれの状況に適したように設計する。ベルト伝動はもちろん、それ自体は公知である他の伝動機構に置き換えることができる。
【００１５】
アンギュラ前部伝達を有する遊星ギヤ８の二次軸10の半径方向負荷は、今度は、二次軸に設けた駆動ローラ２の近くにある別個の支持軸受12によって補償される。支持軸受12は、円すい軸受などの適切なタイプであれば、どんなものでもよい。
【００１６】
上述の例により本発明を限定する意図は決してなく、本発明は、特許請求の範囲内で自由に変更可能である。したがって、本発明による機器もしくはその詳細は、図に示すものと同じである必要はなく、他のさまざまな方式も可能であることは明らかである。
【図面の簡単な説明】
【００１７】
【図１】図１は、ベルト駆動装置全体の側面図を示す。
【図２】図２は、ケーブルの走行方向から見た本発明の機器を示す。
【図３】図３は、本発明の機器の側面図を示す。
【図４】図４は、図２および図３の機器の詳細平面図を示す。
【図５】図５は、図2、3、4の機器の伝動において用いられる駆動ベルト機器を拡大して示す。
【図６】図６は、図２に円で示す細部を拡大して示す。
【図１】
2004520246.tif 000003
【図２】
2004520246.tif 000004
【図３】
2004520246.tif 000005
【図４】
2004520246.tif 000006
【図５】
2004520246.tif 000007
【図６】
2004520246.tif 000008
【国際公開パンフレット】
2004520246.tif 000009
2004520246.tif 000010
2004520246.tif 000011
2004520246.tif 000012
2004520246.tif 000013
2004520246.tif 000014
2004520246.tif 000015
2004520246.tif 000016
2004520246.tif 000017
【国際公開パンフレット（コレクトバージョン）】
2004520246.tif 000018
2004520246.tif 000019
【国際調査報告】
2004520246.tif 000020
2004520246.tif 000021
2004520246.tif 000022
2004520246.tif 000023